(57)【要約】      （修正有）【課題】カウンタの表示画面の損傷を低減することができる釣用リールの提供。【解決手段】釣り用リールは、カウンタ４と、カウンタカバー２５とを備えている。カウンタ４は、表示画面４１を有する。カウンタカバー２５は、表示画面４１を露出させる開口部２５１と、開口部２５１を画定する内壁面２５２とを有する。表示画面４１及び内壁面２５２によって、凹部が画定される。内壁面２５２は、後方へ傾斜する後部内壁面２５２ａを有する。【選択図】図３
2019024472.tif 000002
【特許請求の範囲】
【請求項１】
前方に釣り糸を繰り出す釣り用リールであって、
表示画面を有するカウンタと、
前記表示画面を露出させる開口部、及び前記開口部を画定する内壁面、を有するカウンタカバーと、
を備え、
前記表示画面及び前記内壁面によって、凹部が画定され、
前記内壁面は、後方へ傾斜する後部内壁面を有する、
釣り用リール。
【請求項２】
第１リール本体部と、
前記第１リール本体部と間隔をあけて配置される第２リール本体部と、
前記第１リール本体部と前記第２リール本体部との間に配置されるスプールと、
をさらに備える、
請求項１に記載の釣り用リール。
【請求項３】
前記カウンタは、窓部を含むカウンタケースと、前記カウンタケース内に収容される表示部と、を有し、
前記表示部は、前記窓部を介して視認され、
前記表示画面は、前記窓部及び前記表示部によって構成される、
請求項１又は２に記載の釣り用リール。
【請求項４】
前後方向において、前記表示部の中心は、前記開口部の中心よりも前方に配置される、
請求項３に記載の釣り用リール。
【請求項５】
前記表示部は、前部が後部よりも開口部に近くなるように傾斜する、
請求項３又は４に記載の釣り用リール。
【請求項６】
前記内壁面は、前部内壁面、及び一対の側部内壁面をさらに有し、
前記カウンタの表示画面が水平となるように前記釣り用リールを載置した状態において、前記後部内壁面の鉛直方向に対する傾斜角は、前記前部内壁面、及び前記一対の側部内壁面のそれぞれの鉛直方向に対する傾斜角よりも大きい、
請求項１から５のいずれかに記載の釣り用リール。
【発明の詳細な説明】
【技術分野】
【０００１】
本発明は、釣り用リールに関するものである。
【背景技術】
【０００２】
両軸受リールなどの釣り用リールにおいて、水深などの情報を表示するためのカウンタを有しているものがある（例えば、特許文献１参照）。このカウンタは、リール本体のフレームなどに取り付けられ、カウンタカバーによって覆われている。カウンタの表示画面はカウンタカバーの開口部から露出しており、釣り人は開口部を介してカウンタの表示画面を視認することができる。
【先行技術文献】
【特許文献】
【０００３】
【特許文献１】特開２０１６−１３６９２９号公報
【発明の概要】
【発明が解決しようとする課題】
【０００４】
しかしながら、上記カウンタの表示画面が開口部から上方に出ているため、カウンタの表示画面が損傷しやすいという問題がある。そこで、本発明の課題は、カウンタの表示画面の損傷を低減することができる両軸受リールを提供することにある。
【課題を解決するための手段】
【０００５】
本発明のある側面に係る釣り用リールは、前方に釣り糸を繰り出すように構成されている。この釣り用リールは、カウンタと、カウンタカバーとを備えている。カウンタは、表示画面を有する。カウンタカバーは、表示画面を露出させる開口部と、開口部を画定する内壁面とを有する。表示画面及び内壁面によって、凹部が画定される。内壁面は、後方へ傾斜する後部内壁面を有する。
【０００６】
この構成によれば、表示画面と内壁面とによって凹部が画定されている。すなわち、表示画面は、この凹部の底面を画定しているため、カウンタカバーの表面から一段下がった場所に配置されている。このため、カウンタの表示画面に物が衝突しにくくなり、その結果、カウンタの表示画面の損傷を低減することができる。
【０００７】
なお、表示画面が凹部の底面として配置されていると、釣り人が後方から表示画面を確認する際に、死角が増えて視認性が低下するという問題が生じる。しかし、本発明では、内壁面のうち、後部内壁面が後方に傾斜している。このため、表示画面を後方から確認する釣り人の可視領域が増えるため、視認性の低下を防止することができる。
【０００８】
好ましくは、釣り用リールは、第１リール本体部と、第２リール本体部と、スプールとをさらに備える。すなわち、好ましくは、釣り用リールは、両軸受リールである。第２リール本体部は、第１リール本体部と間隔をあけて配置される。スプールは、第１リール本体部と第２リール本体部との間に配置される。
【０００９】
好ましくは、カウンタは、窓部を含むカウンタケースと、カウンタケース内に収容される表示部と、を有する。表示部は、窓部を介して視認される。表示画面は、窓部及び表示部によって構成される。
【００１０】
好ましくは、前後方向において、表示部の中心は、開口部の中心よりも前方に配置される。この構成によれば、釣り人からの視認性が向上する。
【００１１】
好ましくは、表示部は、前部が後部よりも開口部に近くなるように傾斜する。この構成によれば、釣り人からの視認性が向上する。
【００１２】
好ましくは、内壁面は、前部内壁面、及び一対の側部内壁面をさらに有する。カウンタの表示画面が水平となるように釣り用リールを載置した状態において、後部内壁面の鉛直方向に対する傾斜角は、前部内壁面、及び一対の側部内壁面のそれぞれの鉛直方向に対する傾斜角よりも大きい。
【発明の効果】
【００１３】
本発明によれば、カウンタの表示画面の損傷を低減することができる。
【図面の簡単な説明】
【００１４】
【図１】両軸受リールの平面図。
【図２】リール本体のフレームの斜視図。
【図３】カウンタカバー及びカウンタの斜視図。
【図４】カウンタカバー及びカウンタの断面図。
【図５】カウンタが取り付けられた状態のフレームの斜視図。
【発明を実施するための形態】
【００１５】
以下、本発明に係る釣り用リールの実施形態である両軸受リールについて図面を参照しつつ説明する。なお、以下の説明において、釣糸を繰り出す方向を前方とし、その反対を後方とする。また、釣竿に両軸受リールを装着した際、釣竿に向かう方向を下方、釣竿から離れる方向を上方とする。
【００１６】
図１に示すように、両軸受リール１００は、リール本体２、スプール３、カウンタ４、及びハンドル１０などを備えている。また、両軸受リール１００は、リール本体２内に、ハンドル１０の回転をスプール３に伝達するための回転伝達機構（図示省略）を備えている。両軸受リール１００は、前方（図１の上側）に向かって釣糸を繰り出す。
【００１７】
［リール本体］
リール本体２は、第１リール本体部２１と第２リール本体部２２とを備えている。第１リール本体部２１と第２リール本体部２２とは、軸方向（ｙ軸方向）に互いに間隔をあけて配置されている。第１リール本体部２１と第２リール本体部２２とは、複数の連結部２３（図２参照）を介して互いに連結されている。
【００１８】
第１リール本体部２１は、第１側板２１ａ及び第１カバー２１ｂを有している。第１リール本体部２１は、内部に収容空間を有している。この収容空間内に、回転伝達機構（図示省略）などが収容されている。第２リール本体部２２は、第２側板２２ａ及び第２カバー２２ｂを有している。第１側板２１ａと第２側板２２ａとは、複数の連結部２３（図２参照）を介して、互いに連結されている。
【００１９】
図２に示すように、リール本体２のフレーム２０は、第１側板２１ａと第２側板２２ａと複数の連結部２３とによって構成されている。すなわち、第１側板２１ａ、第２側板２２ａ、及び連結部２３は、１つの部材によって形成されている。また、フレーム２０は、装着部２４をさらに有している。装着部２４は、釣竿に装着される部分であり、第１側板２１ａと第２側板２２ａとの両方に連結されている。また、装着部２４は、前方及び後方に延びている。装着部２４は装着面（図示省略）を有している。この装着面は、両軸受リール１００が釣竿に装着された状態において、釣竿と対向する。この装着面が向く方向が下方となる。
【００２０】
連結部２３は、第１連結部２３ａと第２連結部２３ｂとを有する、第１連結部２３ａは、スプール３の前方に配置されている。第１連結部２３ａは、第１側板２１ａの前側上部と、第２側板２２ａの前側上部とを連結している。第２連結部２３ｂは、第１側板２１ａの後側中央部と、第２側板２２ａの後側中央部とを連結している。
【００２１】
第１連結部２３ａは、上方を向く取付面２３１を有している。この取付面２３１に、カウンタ４が取り付けられる。取付面２３１は、実質的に平坦面である。
【００２２】
図１に示すように、リール本体２は、カウンタカバー２５をさらに備えている。カウンタカバー２５は、第１リール本体部２１と第２リール本体部２２とに亘って取り付けられている。詳細には、カウンタカバー２５は、フレーム２０に取り付けられている。
【００２３】
図３に示すように、カウンタカバー２５は、開口部２５１を有している。平面視において、開口部２５１は、略矩形状である。開口部２５１は、貫通孔である。この開口部２５１から、後述するカウンタ４の表示画面４１が露出している。すなわち、釣り人は、この開口部２５１を介して、カウンタ４の表示画面４１を視認することができる。
【００２４】
カウンタカバー２５は、開口部２５１を画定する内壁面２５２を有している。内壁面２５２は、後部内壁面２５２ａ、前部内壁面２５２ｂ、及び一対の側部内壁面２５２ｃを有している。
【００２５】
図４に示すように、後部内壁面２５２ａは、後方に傾斜している。すなわち、後部内壁面２５２ａは、鉛直方向（ｚ軸方向）に対して後方に倒れるように傾斜している。このため、後部内壁面２５２ａは、上方且つ前方を向いている。この後部内壁面２５２ａの傾斜角αは、特に限定されるものではないが、例えば、約５０〜８０度である。なお、傾斜角αは、装着部２４の前端と後端とを結んだ線が水平となるように両軸受リール１００を載置した状態において、各内壁面２５２が鉛直方向となす角度を示す。
【００２６】
前部内壁面２５２ｂは前方に傾斜しており、一対の側部内壁面２５２ｃは側方に傾斜している。すなわち、開口部２５１は、上方に向かって広がるように構成されている。この前部内壁面２５２ｂ及び一対の側部内壁面２５２ｃのそれぞれの傾斜角αは、後部内壁面２５２ａの傾斜角αよりも小さい。特に限定されるものではないが、前部内壁面２５２ｂ及び一対の側部内壁面２５２ｃのそれぞれの傾斜角αは、約１０〜４５度である。後部内壁面２５２ａは、前部内壁面２５２ｂや前部内壁面２５２ｃよりも、傾斜角αが大きい。すなわち、各内壁面２５２のうち、後部内壁面２５２ａが最も傾斜している。
【００２７】
［スプール］
図１に示すように、スプール３は、第１リール本体部２１と第２リール本体部２２との間に配置されている。詳細には、スプール３は、略円筒状であって軸方向に延びている。スプール３は、リール本体２に対して回転可能である。スプール３は、スプール軸（図示省略）を介してリール本体２に回転可能に支持されている。
【００２８】
［カウンタ］
カウンタ４は、リール本体２に取り付けられている。詳細には、図５に示すように、カウンタ４は、リール本体２のフレーム２０に取り付けられている。なお、より詳細には、カウンタ４は、フレーム２０の第１連結部２３ａに取り付けられている。
【００２９】
図４及び図５に示すように、カウンタ４は、表示画面４１を有している。この表示画面４１に、水深などの釣り情報が表示される。
【００３０】
カウンタ４は、カウンタケース４２と、カウンタケース４２内に収容される表示部４３及び制御基板４４などを有している。表示部４３は、例えば、液晶ディスプレイなどによって構成され、水深などの情報を表示する。
【００３１】
カウンタケース４２は、窓部４２１を有している。カウンタケース４２は、実質的に直方体状である。窓部４２１は、透過性を有している。このため、窓部４２１を介して、表示部４３が視認可能である。この窓部４２１と表示部４３とによって、表示画面４１が構成されている。
【００３２】
表示画面４１は、開口部２５１を介して視認される。この表示画面４１は、内壁面２５２とともに、凹部を画定する。すなわち、表示画面４１は、開口部２５１の下面を封鎖している。そして、表示画面４１は、凹部の底面を構成している。詳細には、カウンタケース４２の窓部４２１が、凹部の底面を構成している。
【００３３】
窓部４２１の上端部は、開口部２５１の下端部に嵌合している。窓部４２１の上面は、カウンタカバー２５の上面よりも下方に位置している。この窓部４２１の上面からカウンタカバー２５の上面までの距離ｄは、例えば、０．５〜２．０ｍｍ程度である。なお、この距離ｄは、表示画面４１及び内壁面２５２によって画定される凹部の深さと同義である。
【００３４】
図４に示すように、前後方向（ｘ軸方向）において、表示部４３の中心は、開口部２５１の中心よりも前方に配置されている。
【００３５】
［変形例］
以上、本発明の実施形態について説明したが、本発明はこれらに限定されるものではなく、本発明の趣旨を逸脱しない限りにおいて種々の変更が可能である。
【００３６】
（ａ）上記実施形態では、後部内壁面２５２ａに加え、前部内壁面２５２ｂ及び一対の側部内壁面２５２ｃも傾斜していたが、前部内壁面２５２ｂ及び一対の側部内壁面２５２ｃは傾斜していなくてもよい。
（ｂ）表示部４３は、前部が後部よりも開口部２５１に近くなるように傾斜していてもよい。すなわち、表示部４３は後方からの視認が容易となるように傾斜していてもよい。また、この場合、窓部４２１を表示部４３の傾斜に合わせて傾斜させてもよい。
（ｃ）表示部４３は、バックライト形式又はフロントライト形式の照明部をさらに備えていてもよい。
【００３７】
また、上記実施形態では、本発明が適用された両軸受リール１００について説明したが、本発明は、スピニングリールなど他のリールにも適用することができる。
【符号の説明】
【００３８】
２１  第１リール本体部
２２    第２リール本体部
２５    カウンタカバー
２５１    開口部
２５２    内壁面
２５２ａ    後部内壁面
２５２ｂ    内部内壁面
２５２ｃ    側部内壁面
３    スプール
４    カウンタ
４１    表示画面
４２１    窓部
４３    表示部
【図１】
2019024472.tif 000003
【図２】
2019024472.tif 000004
【図３】
2019024472.tif 000005
【図４】
2019024472.tif 000006
【図５】
2019024472.tif 000007